(57)【要約】【課題】  分岐ブレーカの個数・容量の増減や主幹ブレーカ及び分岐ブレーカの設置場所の変更等の仕様変更や回路変更に迅速に対応できるとともに、感電や短絡、地絡事故に対する安全性を確保することのできる分電盤装置を提供することにある。【解決手段】  開閉自在な扉にて施蓋される開口部を前面に備える箱体に、主幹ブレーカの二次側端子に電気的に接続される母線バーと当該母線バーにそれぞれ分岐導電部材を介して一次側端子が電気的に接続される複数の分岐ブレーカとを基板上に配した、内器ブロックを納装した、分電盤装置において、前記内器ブロックは箱体の前面側に露出する充電部を前面から絶縁保護する充電部保護カバーを内器ブロック自体に備えるものであり、前記主幹ブレーカ及び分岐ブレーカの操作部は当該充電部保護カバーを挿通せずに前面側に露出されている。【選択図】  図１
2005051909.tif 000002
【特許請求の範囲】
【請求項１】
開閉自在な扉にて施蓋される開口部を前面に備える箱体に、主幹ブレーカの二次側端子に電気的に接続される母線バーと当該母線バーにそれぞれ分岐導電部材を介して一次側端子が電気的に接続される複数の分岐ブレーカとを基板上に配した、内器ブロックを納装した、分電盤装置において、
前記内器ブロックは箱体の前面側に露出する充電部を前面から絶縁保護する充電部保護カバーを内器ブロック自体に備えるものであり、前記主幹ブレーカ及び分岐ブレーカの操作部は当該充電部保護カバーを挿通せずに前面側に露出するものであることを特徴とする分電盤装置。
【請求項２】
前記分岐ブレーカの二次側に電気的に接続される負荷線の配線スペースの前面側を遮蔽するための配線スペースカバーを備えてなることを特徴とする請求項１に記載の分電盤装置。
【請求項３】
前記配線スペースカバーは、前記箱体の開口側縁部に回動自在に蝶着されたものであることを特徴とする請求項２記載の分電盤装置。
【請求項４】
前記配線スペースカバーは、配線スペースに配された断面コ字状のダクト本体に冠着して内部を配線スペースとした配線ダクトを構成するものであることを特徴とする請求項２に記載の分電盤装置。
【請求項５】
前記配線スペースカバーは、前面部に負荷名称表示部を有するものであることを特徴とする請求項２乃至４のいずれかに記載の分電盤装置。
【発明の詳細な説明】
【技術分野】
【０００１】
本発明は、分電盤装置に関し、具体的には、受電した電力をそれぞれの分岐ブレーカを介して各負荷に分配するための分電盤装置に関するものである
【背景技術】
【０００２】
従来の分電盤装置としては、図９に示すように、ブレーカ９４の負荷側端部付近に前面フレーム９２と並行で且つ奥行方向の高さが上記前面フレーム９２と同じ位置になるよう箱体内に左右一対の縦フレーム１００を設け、この両側の縦フレーム１００の内側に上記ブレーカ９４の操作部９４ａを露出させる窓穴９６ａを有する保護板９６を配置して、当該操作部９４ａ以外の部分を当該保護板９６で覆い、外側には上記ブレーカ９４に接続される外線ケーブル部９９を覆う配線カバー１０１を配置するとともに、上記配線カバー１０１と保護板９６の全体を一枚の扉で覆うようにした構成が知られている（特許文献１）。当該分電盤装置においては、該当する機器の保護板９６と配線カバー１０１を取外すことで外線ケーブル９９の張替え作業を容易に行なうことができ、稼動中でも誤って他の機器の充電部に接触して感電したり、短絡、地絡事故を起こしたりすることがなく、安全に作業ができるとともに、外部の塵埃などに対する保護構造も簡単にでき、保護板９６、配線カバー１０１の構成部品点数も少なくすることができる。
【０００３】
ところで、分電盤装置に組み込まれる分岐ブレーカの組み込み数や電流容量の大きさなどは、対象施設の電気設備の仕様に左右される関係で、対象施設の運用開始間近になるまで仕様の決定が遅れ、分電盤装置の回路仕様がなかなか定まらず、対象施設の運用開始直前になって仕様が変更され、現場設置を済ませた分電盤装置に現場で改造の手を加えなければならない場合が生じる。かかる場合には、分岐ブレーカの増減や分岐ブレーカの設置場所の変更が生じるため、予めブレーカの操作部を挿通させる窓穴を有する従来の保護板では、新たに窓穴が必要となったり、不要となった既存の窓穴から塵埃等が入り込むために不要な窓穴の遮蔽が必要となる。そのため、適切な部位に窓穴を設けた保護板を新たに作製しなければならず、分岐ブレーカの個数・容量の増減や主幹ブレーカ及び分岐ブレーカの設置場所の変更への対応に時間がかかるという問題を有していた。
【特許文献１】特開平８−８８９１０号公報
【発明の開示】
【発明が解決しようとする課題】
【０００４】
本発明は、このような点に鑑みてなされたものであり、その目的とするところは、分岐ブレーカの個数・容量の増減や主幹ブレーカ及び分岐ブレーカの設置場所の変更等の仕様変更や回路変更に迅速に対応できるとともに、感電や短絡、地絡事故に対する安全性を確保することのできる分電盤装置を提供することである。
【課題を解決するための手段】
【０００５】
上記した課題を解決するために、本発明の請求項１に係る分電盤装置は、開閉自在な扉にて施蓋される開口部を前面に備える箱体に、主幹ブレーカの二次側端子に電気的に接続される母線バーと当該母線バーにそれぞれ分岐導電部材を介して一次側端子が電気的に接続される複数の分岐ブレーカとを基板上に配した、内器ブロックを納装した、分電盤装置において、前記内器ブロックは箱体の前面側に露出する充電部を前面から絶縁保護する充電部保護カバーを内器ブロック自体に備えるものであり、前記主幹ブレーカ及び分岐ブレーカの操作部は当該充電部保護カバーを挿通せずに前面側に露出するものであることを特徴とする。
【０００６】
本発明の請求項２に係る分電盤装置は、前記分岐ブレーカの二次側へ接続する負荷線の配線スペースの前面側を遮蔽するための配線スペースカバーを備えてなることを特徴とする。
【０００７】
本発明の請求項３に係る分電盤装置は、前記配線スペースカバーが、前記箱体の開口側縁部に回動自在に蝶着されたものであることを特徴とする。
【０００８】
本発明の請求項４に係る分電盤装置は、前記配線スペースカバーが、配線スペースに配された断面コ字状のダクト本体に冠着して内部を配線スペースとした配線ダクトを構成するものであることを特徴とする。
【０００９】
本発明の請求項５に係る分電盤装置は、前面部に負荷名称表示部を有するものであることを特徴とする。
【発明の効果】
【００１０】
本発明の請求項１に係る分電盤装置によると、基板上に配された母線バー及び分岐導電部材から構成される充電部のうち、箱体の前面側に露出している露出部を前面側から絶縁保護しつつ、前記主幹ブレーカ及び分岐ブレーカの操作部は当該充電部保護カバーを挿通せずに前面側に露出されているので、当該充電部保護カバーに、従来の保護カバーに備えられているブレーカ操作部を露出させるための窓穴の設置が不要となる。すなわち、分岐ブレーカの個数・容量の増減や主幹ブレーカ及び分岐ブレーカの設置場所の変更に対応した窓穴を充電部保護カバーに設ける必要がなくなるため、仕様変更や回路変更に迅速に対応でき、急な仕様変更、分電盤装置設置後の回路変更等に対しフレキシビリティーの高い分電盤装置を得ることができ、感電や短絡、地絡に対する安全性も確保することができる。
【００１１】
この請求項２に係る分電盤装置によると、上述した請求項１の効果に加えて、前記分岐ブレーカの二次側へ接続する負荷線の前面からの露出によって外観が損なわれることを防止することができる。すなわち、充電部保護カバーの適用により、当該負荷線が前面から露出された状態となって外観が損なわれる場合も生じ得るが、配線スペースカバーにて遮蔽することによりかかる問題を防止することができる。
【００１２】
この請求項３に係る分電盤装置によると、上述した請求項２の効果に加えて、配線スペースカバーを取り外すことなく分岐ブレーカの二次側を開放できるので、配線スペースカバーの置き場所を別途確保する必要がなくなる。
【００１３】
この請求項４に係る分電盤装置によると、上述した請求項２の効果に加えて、既存の配線ダクトを配線スペースとして活用することができる上に、配線ダクトのダクト蓋を配線スペースカバーとして用いるので、安価にして負荷線を整然と収納することができる。
【００１４】
この請求項５に係る分電盤装置によると、負荷名称の変更に対しても迅速に対応することが可能となる。また、従来は、左右の分岐ブレーカの中央に、左右双方の分岐ブレーカの負荷名称を隣り合わせて表示していたため、配線作業時に左右の負荷名称を誤って認識する場合も生じたが、本発明によれば、負荷名称が左右両端に分離して表示されるため、かかる誤った認識による配線作業効率の低下を防ぐことができる。
【発明を実施するための最良の形態】
【００１５】
つぎに、本発明を図に示す実施形態に基づいて詳細に説明する。
【００１６】
（実施形態１）
本発明の第１実施形態における分電盤装置を図１乃至図７に基いて説明する。図において１は充電部保護カバー、４は分岐ブレーカ、４ａは分岐ブレーカ４の操作部、４ｂは分岐ブレーカ本体、４ｃは分岐ブレーカのアダプター、５は主幹ブレーカ、５ａは主幹ブレーカ５の操作部、７は基板、８はフレーム、２０、２１は電圧極の母線バー、２２は中性極の母線バー、２７は上受台、２８は下受台、３０は内器ブロック、４０は配線スペースカバー、４１は配線ダクト本体、４２は配線ダクト、４５は負荷名称紙、５０は分電盤装置の箱体、５０aは箱体５０の底面部、５０ｂ、５０ｃは箱体５０の開口側縁部である。母線バー２０、２１、２２は、各々は略Ｌ字形帯板状の導電バー２０a、２１a、２２aと、帯板状導電バー２０ｂ、２１ｂ、２２ｂとから構成される。
【００１７】
本実施形態の分電盤装置は、図１、図２に示すように、前面が開口するとともに前面に扉体５５が開閉自在に取付けられた箱体５０内の底面部５０ａに内器ブロック３０が納装されている。内器ブロック３０は、基板７及び基板７上に配された分岐ブレーカ４、主幹ブレーカ５及び母線バー２０〜２２からなる。具体的には、箱体５０の底面部５０ａの長手方向に、一対のフレーム８が平行に取付けられ、当該フレーム８には、基板７をねじ止めするための基板ねじ止め用孔部８ａが、長手方向に一定の間隔で設けられており、基板７の取り付け位置が調整可能となっている。基板７は、基板固定ねじ９によりフレーム８に固定され、この基板７の前面側に分岐ブレーカ４、主幹ブレーカ５及び母線バー２０〜２２が取り付けられている。略Ｌ字形帯板状の導電バー２０ａ、２１ａ、２２ａは互いに間隔を置いて設置され、一端が主幹ブレーカ５の２次側端子に接続されている。
【００１８】
さらに、略Ｌ字形帯板状の導電バー２０ａ、２１ａ、２２ａの下端は、基板７の左右方向略中央に取付けられた、絶縁材料からなる上受台２７において３本の帯板状導電バー２０ｂ、２１ｂ、２２ｂの上端と各々固定ねじ２６により固定されている。また、この３本の帯板状導電バー２０ｂ、２１ｂ、２２ｂの下端は絶縁材料からなる下受台２８により支持されている。そして、箱体５０の左右方向略中央に配置された３本の上記帯板状導電バー２０ｂ、２１ｂ、２２ｂに対して、複数の分岐ブレーカ４がアダプター４ｃを介して左右方向から電気的に接続固定されている。母線バー２０〜２１は、略Ｌ字形帯板状の導電バー２０ａ、２１ａ、２２ａと帯板状導電バー２０ｂ、２１ｂ、２２ｂとからなり、２本の電圧極の導電バー２０、２１の間に１本の中性極の導電バー２２が前後方向に間隔をおいて配置されている。
【００１９】
分岐ブレーカ４は、図２に示すように分岐ブレーカ本体４ｂと、この分岐ブレーカ本体４ｂの一方の側端側に装着されるアダプター４ｃとからなる。分岐ブレーカ本体４ｂは、前面に操作部４ａを備え、アダプター４ｃが装着される側端側には図示しない２つの端子を備えている。各アダプター４ｃ内は２つの隔壁によって前後３つの部屋に区画されているとともに、各部屋に面する壁側に切り溝を備えている。また、アダプター４ｃ内には図示しない接続端子板が配設されている。
【００２０】
なお、主幹ブレーカ、分岐ブレーカ及びこれらを電気的に接続するための導電バーの構成に関しては、すでに公知（例えば特開平１１−１８７５１５号公報）のものであるため、詳細な記述は省略する。
【００２１】
充電部保護カバー１は、図３に示すように、半透明のアクリルからなる板状部材であって、外縁部の所定の位置に固定用の孔部１ａ，１ａを有し、この孔部１ａ，１ａを用いて内器ブロック３０を構成する部材に螺子止めされている。本実施形態においては、充電部保護カバー１は、主幹ブレーカ５のニ次側端子及び複数の分岐ブレーカ4のうち、主幹ブレーカ５に最も近い分岐ブレーカ４の操作部４ａの周縁部にねじ止めにて固定されている。より具体的には、充電部保護カバー１は、周縁部の所定の位置にねじ止め用孔部１ａ及びＬ字状の係止用孔部１ｂとを備えた半透明アクリル製の板状部材であり、母線バー２０〜２２及び分岐導電部材から構成される充電部のうち、箱体５０の前面側に露出している部分を絶縁保護しつつ、基板７上の主幹ブレーカ５及び分岐ブレーカ４の操作部５ａ、４ａは、充電部保護カバー１を挿通せずに前面側に露出する構成となっている。
【００２２】
図６は、主幹ブレーカ５が基板７上部の左振り配置された場合の概略図であり、図７は、主幹ブレーカ５が基板７上部の中央に配置された場合の概略図である。充電保護カバー１に複数のねじ止め用孔部１ａ及び係止用孔部１ｂを設けると、例えば図６に示す主幹ブレーカ５の左振り配置から、図７に示す中央配置に変更された場合であっても、ひとつの充電保護カバー１で対応することができ、主幹ブレーカ５や分岐ブレーカ４の配置変更に対しても迅速に対応することができる。
【００２３】
本実施形態における充電保護カバー１は、図１に示すように、箱体５０の前面側に露出している母線バー２０〜２２およびその周辺のみを絶縁保護するものとなっているが、これに限定されるものではなく、例えば、母線バー２０〜２２と分岐ブレーカ４が、従来より知られている構成の分岐バーを介して電気的に接続されており、当該分岐バーが箱体の前面側に露出している部分がある分電盤装置の場合、充電保護カバー１は、当該分岐バーの露出部分をも絶縁保護する構成となる。
【００２４】
図４は、上受台２７に取付けられた充電部保護カバー１を示す概略斜視図であり、図５は、主幹ブレーカ５に取付けられた充電部保護カバー１を示す概略図である。図４、図５に示すように、充電部保護カバー１の係止は、上受台２７の先端に形成された断面Ｔ字型の爪部２７ａを係止用孔部１ｂに挿通させた後、スライドさせて位置決めすることにより行なう。主幹ブレーカ５の２次側端子付近には、開口部が螺刻された支柱２ａが立設されており、上記スライド後の充電部保護カバー１のねじ止め用孔部１ａは、支柱２ａの螺刻された開口部と略一致する部位に設けられている。かかるスライドによる係止後、固定用ねじ２ｂを充電部保護カバー１のねじ止め用孔部１ａに挿通させて支柱２ａにねじ止めすることにより固定する。なお、支柱２ａは、主幹ブレーカ５の２次側端子付近に穿設された挿入孔５ｂに挿設されている。
【００２５】
図３に示すような本実施形態での充電部保護カバー１は、半透明のアクリル樹脂であったが、これに限定されるものではなく、充電部を前面から電気的に絶縁保護するものであればよい。また、充電部保護カバー１が装着された状態での充電部の配線状況を確認するためには、充電部保護カバー１が透明もしくは半透明であることが好ましい。
【００２６】
なお、本実施形態での内器ブロック３０は、図１に示すように、主幹ブレーカ５を含むものであったが、分電盤装置の構成によっては必ずしもその必要はなく、基板７上に、分岐ブレーカ４及び母線バー２０〜２２のみが載置されているものも本発明の内器ブロック３０に含まれ得るものとする。
【００２７】
分岐ブレーカ４の二次側へ接続する負荷線は、従来保護板等で表面から遮蔽していたが、上述したように、充電部保護カバー１を設けることにより主幹ブレーカ５や分岐ブレーカ４の操作部５ａ、４ａを挿通させる窓穴を設けた保護板が不要となる。そのため、前面から見た場合に当該負荷線が露出してしまう場合もあり得る。この場合、外観上も好ましくない上に、配線作業時に負荷線が邪魔になるため、負荷線を結束する必要が生じ、作業効率が低下する場合が生じ得る。そのため、筒状の配線ダクト４２にて当該負荷線を収納し、前面側からの露出を遮蔽する。
【００２８】
配線ダクト本体４１は、断面コ字状の樹脂成形品であり、コ字状の開口部が前面側になるよう、箱体５０内の底面部５０ａのフレーム８と平行な両端部に設置されている。
【００２９】
配線スペースカバー４０は板状の樹脂成形品であり、配線ダクト本体４１の開口部を冠着して配線ダクト４２を形成するものである。すなわち、配線スペースカバー１が配線ダクトの蓋部を兼ねている構成となる。形成された配線ダクト４２には、分岐ブレーカ４の二次側へ接続する負荷線が収納される。
【００３０】
また、配線スペースカバー４０前面側の各分岐ブレーカに対応した位置に負荷名称紙４５が貼着された負荷名称表示部が設けられている。
【００３１】
本実施形態においては、配線スペースカバー４０及び配線ダクト本体４１は別部材として配線ダクト４２を構成するものであったが、配線スペースカバー４０は、前記箱体５０の開口側縁部もしくは前記ダクト本体４１に回動自在に蝶着されたものであってもよく、かかる場合は、配線スペースカバー４０を取り外すことなく配線ダクト４２を構成できる。
【００３２】
（実施形態２）
本発明の第２実施形態における分電盤装置の断面図を図８に示す。
【００３３】
図８において、４０は配線スペースカバー、４３は回動用ピン、４４はリング状スペーサ、４６はＬ字型板材、４７は軸受部材、４８は固定用ねじ、４９はダボ、Ｓは配線スペースである。
【００３４】
本発明の第２実施形態における埋込灯の構成は、配線スペースカバー１が分岐ブレーカ４の二次側に電気的に接続される負荷線の配線スペースの前面側を遮蔽することに特徴を有しており、上述した第１の実施形態と共通する充電部保護カバー１、内器ブロック３０、箱体５０等の構成については説明を省略する。
【００３５】
回動用ピン４３は、箱体５０の開口側縁部に固定用ねじ４８にて固定されたＬ字型板材４６より突設されている。また、リング状スペーサ４４は、中央に貫通穴が設けられており、当該貫通穴に回動用ピン４３が挿通され、配線スペースカバー４０が回動可能に配されている。
【００３６】
配線スペースカバー４０は、配線スペースＳを前面側から遮蔽できる大きさに形成された樹脂製の板状部材であり、回動軸となる一端側が、断面コ字状に形成されている。この断面コ字状部の両端に軸受部材４７が配され、回動用ピン４３と嵌合することにより、配線スペースカバー４０が、箱体縁部に対して回動自在に設けられる。
【００３７】
Ｌ字型板材４６には、配線スペースカバー４０が閉じた状態に位置合わせができるためのダボ４９が設けられている。また、配線スペースカバー４０前面側の各分岐ブレーカに対応した位置に負荷名称紙が貼着された負荷名称表示部が設けられている。
【図面の簡単な説明】
【００３８】
【図１】本発明の分電盤装置の第１実施形態の前面側から見た概略図である
【図２】本発明の分電盤装置の第１実施形態の断面図である。
【図３】本発明の分電盤装置の第１実施形態の充電部保護カバーの概略図である。
【図４】本発明の分電盤装置の第１実施形態の充電部保護カバーの斜視図である。
【図５】本発明の分電盤装置の第１実施形態の主幹ブレーカに取りつけられた充電部保護カバーの概略図であり、（ａ）は前面側から見た概略図、（ｂ）は側面側から見た概略図である。
【図６】本発明の分電盤装置の第１実施形態の主幹ブレーカが左振り配置の場合の充電保護カバーの概略図である。
【図７】本発明の分電盤装置の第１実施形態の主幹ブレーカが中央配置の場合の充電保護カバーの概略図である。
【図８】本発明の分電盤装置の第２実施形態の断面図であり、（ａ）は左右方向の断面図、（ｂ）は（ａ）におけるＡ−Ａ矢視図である。
【図９】従来例を示す正面図である。
【符号の説明】
【００３９】
１    充電部保護カバー
４    分岐ブレーカ
４ａ  分岐ブレーカ４の操作部
５    主幹ブレーカ
７    基板
２０  母線バー
２１  母線バー
２２  母線バー
３０  内器ブロック
４０  配線スペースカバー
４２  配線ダクト
４５  負荷名称紙
５０  分電盤装置の箱体
【図１】
2005051909.tif 000003
【図２】
2005051909.tif 000004
【図３】
2005051909.tif 000005
【図４】
2005051909.tif 000006
【図５】
2005051909.tif 000007
【図６】
2005051909.tif 000008
【図７】
2005051909.tif 000009
【図８】
2005051909.tif 000010
【図９】
2005051909.tif 000011